(57)【要約】  エアカーテンガイドを冷蔵庫の棚に取り付けるためのエアカーテンガイド取付キットが提供される。キットは、冷蔵庫の棚に固定されるように構成されたブラケットと、係合部と、取付部と、を含むクリップと、を備え、前記係合部は、エアカーテンガイドが前記係合部により拘束されるように、前記エアカーテンガイドを把持するように構成され、前記取付部は、前記係合部に接続されており、前記ブラケットに接続されるように構成されている。【選択図】図５
2020515799.tif 000002
【特許請求の範囲】
【請求項１】
エアカーテンガイドを冷蔵庫の棚に取り付けるためのエアカーテンガイド取付キットであって、
冷蔵庫の棚に固定されるように構成されたブラケットと、
係合部と、取付部と、を含むクリップと、を備え、
前記係合部は、エアカーテンガイドが前記係合部により拘束されるように、前記エアカーテンガイドを把持するように構成され、
前記取付部は、前記係合部に接続されており、前記ブラケットに接続されるように構成された、エアカーテンガイド取付キット。
【請求項２】
前記係合部は、スナップフィット動作により前記エアカーテンガイドを受けるように構成されている、請求項１に記載のエアカーテンガイド取付キット。
【請求項３】
前記係合部は、
前記エアカーテンガイドの第１端部と嵌合するための第１凹部と、
前記エアカーテンガイドの第２端部と嵌合するための第２凹部と、を備え、
前記エアカーテンガイドの前記第１端部及び前記第２端部は、対向する端部である、請求項１又は請求項２に記載のエアカーテンガイド取付キット。
【請求項４】
前記係合部は、前記取付部と一体化されている、請求項１〜３のいずれか１つに記載のエアカーテンガイド取付キット。
【請求項５】
前記ブラケットは、機械的留め具を受けるための貫通孔を含む、請求項１〜４のいずれか１つに記載のエアカーテンガイド取付キット。
【請求項６】
前記貫通孔は、前記ブラケットの基端に配置されている、請求項５に記載の取付アセンブリ。
【請求項７】
前記取付部は、第１軸及び第１ヘッドを含む第１突起と、第２軸及び第２ヘッドを含む第２突起と、を備えた、請求項１〜６に記載のいずれか１つのエアカーテンガイド取付キット。
【請求項８】
前記第１ヘッドは、前記第１軸及び前記第２軸により規定されるスロットを形成するように、前記第２ヘッドと一体化されている、請求項７に記載のエアカーテンガイド取付キット。
【請求項９】
前記係合部は、前記取付部と一体化されており、
前記第２ヘッドは、前記係合部と一体化されている、請求項７又は請求項８に記載のエアカーテンガイド取付キット。
【請求項１０】
前記第１軸は、前記第１ヘッド上の第１隆起部と、前記第１隆起部に向かって延びる対向隆起部と、を形成するための第１切欠き部を含む、請求項７〜９のいずれか１つに記載のエアカーテンガイド取付キット。
【請求項１１】
前記第２軸は、前記第２ヘッド上の第２隆起部と、前記第２隆起部に向かって延びる対向隆起部と、を形成するための第２切欠き部を含む、請求項７〜１０のいずれか１つに記載のエアカーテンガイド取付キット。
【請求項１２】
前記第１軸は、前記第１切欠き部と、前記取付部の第１側端部に隣接する前記第１隆起部と、前記取付部の第２側端部に隣接する前記第２隆起部と、を含み、
前記取付部の前記第１側端部及び前記第２側端部は、対向する端部である、請求項１１に記載のエアカーテンガイド取付キット。
【請求項１３】
前記ブラケットは、前記第１軸及び前記第２軸の少なくとも１つを受けるための少なくとも１つの凹部を含む、請求項７〜１２のいずれか１つに記載のエアカーテンガイド取付キット。
【請求項１４】
前記ブラケットは、前記第１軸を受けるための第１凹部と、前記第２軸を受けるための第２凹部と、を含む、請求項１３に記載のエアカーテンガイド取付キット。
【請求項１５】
前記ブラケットの前記第１凹部は、前記ブラケット内において第１方向に延び、
前記ブラケットの前記第２凹部は、前記ブラケット内において第２方向に延びる、請求項１４に記載のエアカーテンガイド取付キット。
【請求項１６】
前記第１方向は、前記ブラケットの第１側端部から前記ブラケットの第２側端部へ向かう方向であり、
前記ブラケットの前記第１側端部及び前記第２側端部は、対向する端部である、請求項１５に記載のエアカーテンガイド取付キット。
【請求項１７】
前記ブラケットの前記第２凹部は、前記ブラケットの先端に配置され、
前記第２方向は、前記ブラケットの前記先端から前記ブラケットの前記基端へ向かう方向である、請求項１５又は請求項１６に記載のエアカーテンガイド取付キット。
【請求項１８】
前記第２方向は、前記ブラケットの第２側端部から前記ブラケットの第１側端部へ向かう方向であり、
前記ブラケットの前記第１側端部及び前記第２側端部は、対向する端部である、請求項１５又は請求項１６に記載のエアカーテンガイド取付キット。
【請求項１９】
前記クリップは、プラスチック材料製である、請求項１〜１８のいずれか１つに記載のエアカーテンガイド取付キット。
【請求項２０】
前記プラスチック材料は、ナイロン、ガラス含有ナイロン、ポリエチレン、ポリ塩化ビニル、ポリプロピレン、アクリル、ポリカーボネート、ポリエチレン、ポリエチレンテレフタレート又はグリコール修飾ポリエチレンテレフタレートである、請求項１９に記載のエアカーテンガイド取付キット。
【請求項２１】
前記クリップは、樹脂製である、請求項１〜１８のいずれか１つに記載のエアカーテンガイド取付キット。
【請求項２２】
前記ブラケットは、金属又は合金製である、請求項１〜２１のいずれか１つに記載のエアカーテンガイド取付キット。
【請求項２３】
前記金属又は前記合金は、アルミニウム、鉄、鋼又はステンレス鋼である、請求項２２に記載のエアカーテンガイド取付キット。
【請求項２４】
前記取付部が前記ブラケットに接続された状態で前記ブラケット及び前記取付部を覆うカバー部をさらに含む、請求項１〜２３のいずれか１つに記載のエアカーテンガイド取付キット。
【請求項２５】
前記カバー部は、プラスチック材料製である、請求項２４に記載のエアカーテンガイド取付キット。
【請求項２６】
前記プラスチック材料は、ナイロン、ガラス含有ナイロン、ポリエチレン、ポリ塩化ビニル、ポリプロピレン、アクリル、ポリカーボネート、ポリエチレン、ポリエチレンテレフタレート又はグリコール修飾ポリエチレンテレフタレートである、請求項２５に記載のエアカーテンガイド取付キット。
【請求項２７】
前記カバー部は、樹脂製である、請求項２４に記載のエアカーテンガイド取付キット。
【発明の詳細な説明】
【技術分野】
【０００１】
本発明は、エアカーテンガイドを冷蔵庫の棚に取り付けるためのエアカーテンガイド取付キットに関する。
【背景技術】
【０００２】
オープンディスプレイ冷蔵庫は、例えばスーパーマーケット等の小売環境において、周囲温度よりも低い温度で保持されなければならない例えば肉及び乳製品等の商品を貯蔵及び陳列させるために通常用いられる。この種の冷蔵庫は、前面が解放されているから、顧客は、陳列されている製品を見やすく、購入したいと思う製品を冷蔵庫から取り出しやすい。
【０００３】
この種の冷蔵庫はエアカーテンを有する。エアカーテンは、冷蔵庫の前面全体に亘って冷気を送風させることによって形成される。エアカーテンは、冷蔵庫の最上部にある排気口から冷蔵庫の最下部にある吸気口へ向かって形成される。吸気口は、エアカーテンから空気を回収し、冷却用熱交換器及びファンを介して、排気口に空気を再循環させる。エアカーテンにより、冷蔵庫内の冷気は冷蔵庫外の暖気と混ざらないようになっている。
【０００４】
製品及び価格情報が顧客に提供され得るように、この種の冷蔵庫の棚における顧客に面する端部は、典型的には、そこに固定されたチケットレールを有する。また、棚上の製品が前方へ落ちたり、又は、棚から滑り落ちたりしないようにするために、シェルフエッジライザ（Ｓｈｅｌｆ  ｅｄｇｅ  ｒｉｓｅｒｓ）を設けてもよい。シェルフエッジライザは、典型的には、透明なプラスチック材料（例えば、Ｐｅｒｓｐｅｘ（登録商標））からなり、棚における顧客に面する端部の固定位置に嵌め込まれる。チケットレールがあり、このチケットレールがその顧客に面する表面に沿ってさまざまな固定位置において（例えば、ネジ、ボルト、リベット又は釘によって）棚に固定される場合には、シェルフエッジライザはこれらの固定位置を覆って嵌め込まれるように切り込まれた溝を有してもよい。これにより、シェルフエッジライザは、単にチケットレールの固定位置を覆うようにシェルフエッジライザを挿入することにより設置され得る。
【発明の概要】
【発明が解決しようとする課題】
【０００５】
しかしながら、エアカーテンの冷気は、冷蔵庫の最上部の排気口から冷蔵庫の最下部の吸気口へと向かう通路上で、冷蔵庫の解放された前面全体を下に移動するにつれて、隣接する周囲の暖気と混ざる。この種の混合は、「浸入」として知られている。乱気流が存在すると、周囲の暖気とエアカーテンの冷気との混合が増加し、エアカーテンを通過して冷蔵庫内に入り込む暖気が増加する。浸入が増加すると、冷蔵庫は、庫内の貯蔵スペースにおける所定の温度を維持しようとするから、冷蔵庫により消費されるエネルギーが増加する。
【０００６】
乱気流及びそれにより生じる浸入を低減させるために、オープンディスプレイ冷蔵庫には、エアカーテンの中で空気の流れを案内する（すなわち、エアカーテンの流れから移動していく空気を案内してエアカーテンの流れの中へと戻す）ための１つ以上のエアカーテンガイドが設けられ得る。また、エアカーテンガイドは、顧客に製品及び価格情報を提供できるように、製品情報ラベルを示すためのハウジングを含んでもよい。
【０００７】
冷蔵庫の棚にエアカーテンガイドを組み込む場合、エアカーテンガイド用の固定具を取り付けるときに、チケットレール取付け用に棚に設けられた既存の孔を利用することが望ましい。これにより、エアカーテンガイドを設置するために必要な穿孔作業の量を低減できる（追加的な穿孔作業は、食品の近くで削り屑−金属ファイリング−を生じ、また取付工程に要する時間が増加するため望ましくない）。さらに、チケットレールの固定位置を覆うように挿入されたシェルフエッジライザを有する冷蔵庫では、エアカーテンガイドの取付け用に別の孔が穿孔されると、（これらの孔が偶然にもライザの溝と並ばない限り）ライザをエアカーテンガイド用の新たな固定具を覆うように挿入することはできない。これにより、シェルフエッジライザが使用不能になり得る。従って、チケットレールの固定点の位置が冷蔵庫によって異なるため、標準的な配置の固定点を有するエアカーテンガイドを製造することができないという点で問題がある。この「オーダメード的な」要素により、取付工程のコスト及び時間が増加する。
【０００８】
従って、エアカーテンガイドを冷蔵庫の棚に取り付けるための手段であって、棚に追加的な固定孔を形成する必要がない手段を提供することは望ましい。
【課題を解決するための手段】
【０００９】
本発明の第１の態様によれば、エアカーテンガイドを冷蔵庫の棚に取り付けるためのエアカーテンガイド取付キットであって、冷蔵庫の棚に固定されるように構成されたブラケットと、係合部と、取付部と、を含むクリップと、を備え、係合部は、エアカーテンガイドが係合部により拘束されるように、エアカーテンガイドを把持するように構成され、取付部は、係合部に接続されており、ブラケットに接続されるように構成された、エアカーテンガイド取付キットが提供される。
【００１０】
典型的には、ブラケットが機械的留め具を受けるための貫通孔を含むという点で、ブラケットは冷蔵庫の棚に固定されるように構成されている。一実施形態において、貫通孔は、ブラケットの基端にある（ブラケットの基端とは、ブラケットが棚に固定されたときに、棚に最も近い端である）。用いられ得る機械的留め具の具体例は、制限されるわけではないが、リベット、ネジ、ボルト又は釘を含む。
【００１１】
一実施形態において、係合部は、スナップフィット動作によりエアカーテンガイドを受けるように構成されている。係合部は、エアカーテンガイドの第１端部と嵌合するための第１凹部と、エアカーテンガイドの第２端部と嵌合するための第２凹部と、を備え、エアカーテンガイドの第１端部及び第２端部は、対向する端部である。エアカーテンガイドがエアロフォイル形状である場合には、第１端部及び第２端部は、それぞれ、エアロフォイルの前縁部及び後縁部である。係合部の第１凹部及び第２凹部は、それぞれ、係合部の第１先端突起部及び第２先端突起部により定義され得る。「係合部の先端突起部」とは、係合部における当該係合部の端から突出する部分であって、エアカーテンガイド取付キットが棚に組み付けられ、固定されたときに、棚から最も遠い部分を意味する。
【００１２】
エアカーテンガイドを係合部に挿入するときに、エアカーテンガイドの第１端部は係合部の第１凹部に挿入され、次いで第２端部は係合部の第２先端突起部を通過して第２凹部に押し込まれる。そうして、エアカーテンガイドは係合部の第１凹部及び第２凹部との間の把持位置に「パチンと嵌め込まれる」。典型的には、クリップは、圧力を加えても壊れることなく変形可能な材料からなる。これにより、（第１凹部がエアカーテンガイドの第１端部とすでに嵌合した状態で）エアカーテンガイドの第２端部が第２凹部に押し込まれる間も、係合部の第１先端突起部は可逆的に変形できる。このようにして、エアカーテンガイドは、「スナップフィット」動作により係合部に挿入される。いくつかの実施形態では、クリップは、例えばナイロン、ガラス含有ナイロン、ポリエチレン、ポリ塩化ビニル（ＰＶＣ）、ポリプロピレン、アクリル、ポリカーボネート、ポリエチレン、ポリエチレンテレフタレート（ＰＥＴ）又はグリコール修飾ポリエチレンテレフタレート（ＰＥＴＧ）等のプラスチック材料製である。いくつかの実施形態では、クリップは、樹脂製である。
【００１３】
また、エアカーテンガイドは、エアカーテンガイドの第２端部を係合部の第２凹部に挿入し、次いでエアカーテンガイドの第１端部を係合部の第１先端突起部を通過して第１凹部に押し込むことにより、係合部に挿入されてもよい。そうして、エアカーテンガイドは、係合部の第１凹部及び第２凹部との間の把持位置に「パチンと嵌め込まれる」。クリップが（上述のごとく）圧力を加えても壊れることなく変形可能な材料からなる場合、（第２凹部がエアカーテンガイドの第２端部とすでに嵌合した状態で）エアカーテンガイドの第１端部が第１凹部に押し込まれる間も、係合部の第２先端突起部は可逆的に変形できる。このようにして、エアカーテンガイドは、「スナップフィット」動作により係合部に挿入される。
【００１４】
係合部は、その長さ方向に沿ういかなる位置においても、エアカーテンガイドを把持できる。これにより、（クリップが取り付けられるように構成された）ブラケットを、棚のいかなる点においても固定できる。そうして、チケットレール取付け用に棚に設けられた既存の孔を用いて棚にブラケットを固定できる。これにより、長さ方向に沿ってチケットレール固定点の位置に対応する位置に設けられた溝を有するシェルフエッジライザを、エアカーテンガイド取付後もそのまま使用できる。また、エアカーテンガイド取付キットによれば、エアカーテンガイド自体に孔を設けることなく、エアカーテンガイドを棚へ取付けることができる。
【００１５】
いくつかの実施形態では、係合部は、取付部と一体化されている。
【００１６】
いくつかの実施形態では、取付部は、第１軸及び第１ヘッドを含む第１突起と、第２軸及び第２ヘッドを含む第２突起と、を備えている。第１ヘッドは、第１軸及び第２軸により規定されるスロットを形成するように、第２ヘッドと一体化されていてもよい。係合部は、取付部と一体化されていてもよい。また、第２ヘッドは、係合部と一体化されていてもよい。
【００１７】
いくつかの実施形態では、第１軸は、第１ヘッド上の第１隆起部と、第１隆起部に向かって延びる対向隆起部と、を形成するための第１切欠き部を含む。加えて、又は、代替して、第２軸は、第２ヘッド上の第２隆起部と、第２隆起部に向かって延びる対向隆起部と、を形成するための第２切欠き部を含んでもよい。第１軸及び第２軸の双方がそれぞれ切欠き部を含む場合、第１隆起部は取付部の第１側端部に隣接していてもよく、第２隆起部は取付部の第２側端部と隣接していてもよい。なお、取付部の第１側端部及び第２側端部は対向する表面である。本明細書において、「取付部の側端部」とは、その先端（すなわち係合部に最も近い端）からその基端（すなわち取付部がブラケットに取り付けられるときのブラケットの貫通孔に最も近い端）まで延びる取付部の端部である。
【００１８】
いくつかの実施形態では、ブラケットは、第１軸及び第２軸の少なくとも１つを受けるための少なくとも１つの凹部を含む。いくつかの実施形態では、ブラケットは、第１軸を受けるための第１凹部と、第２軸を受けるための第２凹部と、を含む。いくつかの実施形態では、ブラケットの第１凹部は、ブラケット内において第１方向に延び、ブラケットの第２凹部は、ブラケット内において第２方向に延びる。いくつかの実施形態では、第１方向は、ブラケットの第１側端部からブラケットの第２側端部へ向かう方向であり、ブラケットの第１側端部及び第２側端部は、対向する端部（先端から基端まで延びるブラケットの側端部であり、ブラケットの先端は、ブラケットが棚に対して固定されたときに棚から最も遠い端である）である。いくつかの実施形態では、第２方向はブラケットの第２側端部からブラケットの第１側端部へ向かう方向である。他の実施態様では、ブラケットの第２凹部は、ブラケットの先端に配置され、第２方向は、ブラケットの先端からブラケットの基端へ向かう方向である。典型的には、第２凹部はブラケットの長手方向に沿って延びる。長手方向はブラケットの先端から基端へ向かう方向である。典型的には、ブラケットは、例えばアルミニウム、鉄、鋼又はステンレス鋼（特にアルミニウム、鋼又はステンレス鋼）等の金属又は合金製である。
【００１９】
上述のごとくブラケットが第１凹部及び第２凹部を含む場合、取付部は次の工程によりブラケットに接続され得る：（ｉ）第２軸をブラケットの第２凹部に挿入する、（ｉｉ）第１軸がブラケットの第１凹部に合うまでブラケットに対して取付部を回転させる、及び（ｉｉｉ）第１軸をブラケットの第１凹部に挿入する。取付部が第１隆起部及び／又は第２隆起部を含む場合、これらの隆起部（及びこれらに対応する対向隆起部）は、取付部が取付工程の間ブラケットと取付部との配列を維持し、さらにすでに互いに接続されている取付部及びブラケットの配列を維持する役割を有する。
【００２０】
上述のいずれの実施形態におけるエアカーテンガイド取付キットは、取付部がブラケットに接続された状態でブラケット及び取付部を覆うカバー部をさらに含んでもよい。典型的には、カバー部は、圧力を加えても壊れることなく変形可能な材料からなる。いくつかの実施形態では、カバー部は、例えばナイロン、ガラス含有ナイロン、ポリエチレン、ポリ塩化ビニル（ＰＶＣ）、ポリプロピレン、アクリル、ポリカーボネート、ポリエチレン、ポリエチレンテレフタレート（ＰＥＴ）又はグリコール修飾ポリエチレンテレフタレート（ＰＥＴＧ）等のプラスチック材料製である。いくつかの実施形態では、カバー部は樹脂製である。カバー部は、取付部及びブラケットの様々な表面にほこりが堆積するのを抑制する役割を有するとともに、取付部がブラケットに接続されたときに取付部を正しい位置に保持しやすくする。
【００２１】
本発明の例示的な実施形態を添付の図面を参照して説明する。
【図面の簡単な説明】
【００２２】
【図１Ａ】図１Ａは、本発明の例示的な実施形態に係るエアカーテンガイド取付キットのクリップの斜視図を示す。
【図１Ｂ】図１Ｂは、図１Ａのクリップの側面図である。
【図２Ａ】図２Ａは、本発明の例示的な実施形態に係るエアカーテンガイド取付キットのブラケットの平面図である。
【図２Ｂ】図２Ｂは、図２Ａのブラケットの側面図である。
【図３】図３は本発明の例示的な実施形態に係るエアカーテンガイド取付キットのクリップ及びブラケットの平面図であり、クリップの取付部がブラケットに取付けられる前の状態を示す。
【図４】図４は、クリップをブラケットに取り付ける工程のステップを示す。
【図５】図５は、本発明の例示的な実施形態に係るエアカーテンガイド取付キットを示し、クリップの取付部がブラケットに取り付けられた状態を示す。
【図６】図６は、図５のエアカーテンガイド取付キットであって、エアカーテンガイドが係合部に拘束され、カバー部がブラケット及び取付部を覆うように取り付けられた状態を示す。
【発明を実施するための形態】
【００２３】
図１Ａ及び図１Ｂは、本発明の例示的な実施形態に係るエアカーテンガイド取付キットのクリップの（それぞれ）斜視図及び側面図を示す。クリップ１は、取付部３と一体化された係合部２を含む。係合部２は、スナップフィット動作によりエアカーテンガイド（図示せず）を受けるように構成されており、エアカーテンガイドの第１端部と嵌合するための第１凹部４と、エアカーテンガイドの第２端部と嵌合するための第２凹部５とを含む。なお、エアカーテンガイドの第１端部及び第２端部は対向する端部である。第１凹部４は、係合部２の第１先端突起部６により定義され、係合部２の第２凹部５は係合部２の第２先端突起部７により定義される。
【００２４】
取付部３は、第１軸９及び第１ヘッド１０を含む第１突起８と、第２軸１０９及び第２ヘッドを含む第２突起と、を含む。第１ヘッド１０は、第１軸９及び第２軸１０９により規定されるスロット１１を形成するように、第２ヘッドと一体化されている。係合部２は取付部３と一体化されており、第２ヘッドは係合部２と一体化されている。
【００２５】
第２軸１０９は、第２ヘッド上の第２隆起部１２と、第２隆起部１２に向かって延びる対向隆起部１２ａと、を形成するための第２切欠き部を含む。第１軸もまた、第１ヘッド上の第１隆起部と、第１隆起部に向かって延びる対向隆起部と、を形成するための第１切欠き部（図示せず）を含む。第１隆起部は取付部３の第１側端部（図４の２６）と隣接しており、第２隆起部１２は取付部３の第２側端部２７と隣接している。なお、取付部３の第１側端部２６及び第２側端部２７は対向する端部である。
【００２６】
図２Ａ及び図２Ｂは、それぞれ、本発明の例示的な実施形態に係るエアカーテンガイド取付キットのブラケット１３を示す平面図及び側面図である。ブラケット１３は、機械的留め具（図示せず）を受けるためにブラケット１３の基端１５に配置された貫通孔１４を含む。ブラケット１３は、第１軸９を受けるための第１凹部１６と、第２軸１０９を受けるための第２凹部１７と、を備えている。ブラケット１３の第１凹部１６は、ブラケット１３内において第１方向Ｄ１に延び、ブラケット１３の第２凹部１７は、ブラケット１３内において第２方向Ｄ２に延びる。ブラケット１３の第２凹部１７は、ブラケット１３の先端に配置されており、第２方向Ｄ２は、ブラケットの先端１８からブラケット１３の基端１５へ向かう方向である。ブラケット１３の第２凹部１７は、ブラケット１３の長手方向に沿って延びており、長手方向とはブラケット１３の先端１８から基端１５へ向かう方向である。第１方向Ｄ１は、ブラケット１３の第１側端部１９からブラケット１３の第２側端部２０へ向かう方向である。なお、ブラケット１３の第１側端部１９及び第２側端部２０は対向する端部である。
【００２７】
取付部３は、第２軸１０９をブラケット１３の第２凹部１７に挿入し、（図４に示すように）第１軸９がブラケット１３の第１凹部１６に合うまでブラケット１３に対して取付部３を回転させ、第１軸９をブラケット１３の第１凹部１６に挿入することにより、ブラケット１３に接続され得る。クリップ１の取付部３がブラケット１３に取り付けられた状態のエアカーテンガイド取付キットを、図５に示す。
【００２８】
図６に示すように、エアカーテンガイド取付キットは、取付部３がブラケット１３に接続された状態でブラケット１３及び取付部３を覆うように取付けるためのカバー部２１を含んでもよい。また、図６は、図５の組み立てられたエアカーテンガイド取付キットの係合部２に拘束されたエアカーテンガイド２２を示す。図６において、エアカーテンガイド２２は、エアロフォイル形状である。エアカーテンガイド２２は、対向する第１端部２３及び第２端部２４を備えている。係合部２の第１凹部４はエアカーテンガイド２２の第１端部２３（エアロフォイルの前縁部）と嵌合し、係合部２の第２凹部５はエアカーテンガイド２２の第２端部２４（エアロフォイルの後縁部）と嵌合する。従って、係合部２は、エアカーテンガイド２２が係合部２によって拘束されるようにエアカーテンガイド２２を把持する。
【００２９】
エアカーテンガイド２２は、エアカーテンガイド２２の第２端部２４を係合部２の第２凹部５に挿入し、次いでエアカーテンガイド２２の第１端部２３を係合部２の第１先端突起部６を通過して第１凹部４に押し込むことにより、係合部２に挿入されてもよい。そうして、エアカーテンガイド２２は、係合部２の第１凹部４及び第２凹部５の間の把持位置に「パチンと嵌め込まれる」。
【００３０】
図６に示すように、係合部２は、その長さに沿ういかなる位置においても、エアカーテンガイド２２を把持できる。これにより、（クリップ１が取り付けられる）ブラケット１３を棚の長さ方向に沿ういかなる点においても冷蔵庫の棚に固定できる。これにより、チケットレール取付け用に棚に設けられた既存の孔を用いて、ブラケット１３を棚に固定できる。これにより、エアカーテンガイド２２の取付け後に、長さ方向に沿ってチケットレール固定点の位置に対応する位置に設けられた溝を有するシェルフエッジライザを使用することもできる。この場合、組み立てられ、取り付けられた状態のエアカーテンガイド取付キットにおけるブラケット１３及び／又は取付部３（又は、使用する場合は、カバー部２１）を覆うように、シェルフエッジライザの溝を嵌め込めばよい。
【図１Ａ】
2020515799.tif 000003
【図１Ｂ】
2020515799.tif 000004
【図２Ａ】
2020515799.tif 000005
【図２Ｂ】
2020515799.tif 000006
【図３】
2020515799.tif 000007
【図４】
2020515799.tif 000008
【図５】
2020515799.tif 000009
【図６】
2020515799.tif 000010
【国際調査報告】
2020515799.tif 000011
2020515799.tif 000012
2020515799.tif 000013